(57)【要約】【課題】  デジタルカメラで撮影した電子写真情報を、そのファイル形式によらず電子写真情報閲覧用サーバにアップロードし、特別の表示ソフトがインストールされていない端末装置上で閲覧する。【解決手段】  デジタルカメラで撮影した電子写真情報を端末装置からネットワークを介して当該電子写真情報を受信し、その電子写真情報のファイル形式を認識してＷｅｂブラウザで表示可能なＪＰＥＧ形式に変換すると共に該変換した変換電子写真情報を所定のＵＲＬアドレスに保管して、インターネット又はイントラネット上で前記変換電子写真情報を閲覧可能にした。【選択図】        図１
2005115963.tif 000002
【特許請求の範囲】
【請求項１】
通信回線を介して受信した電子情報を入力し、その電子情報のファイル形式を認識するファイル形式認識手段と、
前記ファイル形式認識手段で認識したファイル形式に基づいて、ファイル内の画像情報を検出し解析する画像検出解析手段と、
前記画像情報を、前記解析結果に応じた変換によりＷｅｂブラウザで表示可能なファイル形式の電子写真情報に変換する画像変換手段と、
前記変換した電子写真情報を通信回線を介して閲覧可能に保管する電子写真情報保管閲覧手段と、
前記閲覧可能に保管した電子写真情報の保管アドレスを、電子メールに付加して電子写真情報を閲覧すべき相手先へ通知する保管先通知手段とを備えることを特徴とする電子写真情報閲覧用サーバ。
【請求項２】
通信回線を介して受信した電子情報を入力し、その電子情報のファイル形式を認識して、ファイル内の画像情報の検出と解析を行うと共に、前記解析結果に応じた画像変換を行ってＷｅｂブラウザで表示可能なファイル形式の電子写真情報に変換し、当該変換した電子写真情報を通信回線を介して閲覧可能に保管して、その保管アドレスを電子メールに付加して閲覧すべき相手先へ通知する電子写真情報閲覧方法。
【発明の詳細な説明】
【技術分野】
【０００１】
この発明は、電子フォト閲覧システム、電子フォト情報閲覧方法および電子フォト情報閲覧用サーバに関し、更に詳述すれば、デジタルカメラのユーザが、該デジタルカメラから電子写真情報を出力する際のファイル形式を気にしないで、電子写真情報を電子写真情報変換サーバにアップロードしても、該デジタルカメラのユーザが、該電子写真情報を該ユーザのＷｅｂ端末装置を使用してインターネット又はイントラネットから閲覧することができる電子フォト閲覧システム、電子フォト情報閲覧方法および電子フォト情報閲覧用サーバに関する。
【背景技術】
【０００２】
パソコン及びインターネット（internet）又はイントラネット（intranet）の普及により、色々な案内やデータなどの従来紙媒体に出力してやり取りしていた書類は、ワープロソフトなどを使って電子データのファイルとして作成し、該ファイルを電子メールの電子写真情報として、やり取りすることができるようになった。
【０００３】
また、情報発信者が電子データのファイルをＷｅｂブラウザのＰＯＳＴ機能を使用してコンテンツのストレージサーバに送信することで、情報受信者は、前記コンテンツのストレージサーバの保管先のＷｅｂアドレスにアクセスすることで、前記情報送信者が送信した電子データを当該Ｗｅｂページからダウンロードして、自分のＰＣ（personal computer）上で、見ることができるようになった。
【０００４】
また、デジタルカメラで撮影した電子写真情報をインターネット又はイントラネット上のストレージサーバにアップロードして、ＰＣから該ストレージサーバにアクセスして、電子写真情報をＰＣに表示することもできるようになった。
【特許文献１】特開２００１−２１７８６０号公報
【発明の開示】
【発明が解決しようとする課題】
【０００５】
しかしながら、上記従来のテキストデータ,画像データ等の電子データよりなる電子ファイルの表示方法は、すべて表示側の端末装置に該電子ファイルを表示するための表示ソフトがインストールされていなければならず、様々なファイル形式が存在する現在では、それらの電子ファイルを表示するためには、端末装置に多くの種類の表示ソフトをインストールしなければならないことになり、端末装置の能力上、非現実的であった。この問題は、ＰＤＡ（personal digital assistance）などのメモリ容量や処理能力の小さい携帯型端末装置や最近広く普及した携帯電話機等では、特に大きな問題である。更に、携帯電話機の場合は、電子ファイルが添付された電子メールを受信すると、前記電子ファイルが削除されてしまい、電子ファイル自体さえ受け取れないという問題があった。
【０００６】
また、デジタルカメラの普及により、自分で撮影した電子写真情報を旅行先などでインターネット又はイントラネット上のストレージサーバにアップロードできれば、デジタルカメラのメモリ残容量を気にせずに、写真が取れて便利であるが、折角アップロードした写真も、表示ソフトの問題から携帯電話機では見ることができないのが実情である。更に、旅行先では、表示ソフトがインストールされたＰＣを持参していない場合が多く、写真をアップロードできたとしても当該写真も見ることができないという問題あった。
【０００７】
また、旅行先で、使い捨てデジタルカメラやレンタルデジタルカメラを使用する場合でも同様の問題が起ることが予想される。
【０００８】
本発明は、かかる問題を解決するためになされたものであり、その目的は、デジタルカメラで撮影した電子写真情報を、携帯電話機やＰＤＡなどの前記撮影した電子写真情報のオリジナルのファイル形式の電子ファイルを表示するための特別の表示ソフトがインストールされていない端末装置上で該電子写真情報を閲覧することができる電子フォト情報閲覧システム、電子フォト情報閲覧方法およびそれに用いる変換サーバを提供することである。
【課題を解決するための手段】
【０００９】
電子写真情報閲覧用サーバは、通信回線を介して受信した電子情報を入力し、その電子情報のファイル形式を認識するファイル形式認識手段と、前記ファイル形式認識手段で認識したファイル形式に基づいて、ファイル内の画像情報を検出し解析する画像検出解析手段と、前記画像情報を、前記解析結果に応じた変換によりＷｅｂブラウザで表示可能なファイル形式の電子写真情報に変換する画像変換手段と、前記変換した電子写真情報を通信回線を介して閲覧可能に保管する電子写真情報保管閲覧手段と、閲覧可能に保管した電子写真情報の保管アドレスを、電子メールに付加して電子写真情報を閲覧すべき相手先へ通知する保管先通知手段とを備える。
【００１０】
また、本願発明の電子写真情報閲覧方法は、通信回線を介して受信した電子情報を入力し、その電子情報のファイル形式を認識して、ファイル内の画像情報の検出と解析を行うと共に、前記解析結果に応じた画像変換を行ってＷｅｂブラウザで表示可能なファイル形式の電子写真情報に変換し、当該変換した電子写真情報を通信回線を介して閲覧可能に保管し、その保管アドレスを電子メールに付加して閲覧すべき相手先へ通知する。
【発明の効果】
【００１１】
発明によれば、デジタルカメラのユーザは、該デジタルカメラから電子写真情報を出力する際のファイル形式を気にしないで、電子写真情報を電子写真情報閲覧用サーバにアップロードしても、ユーザは、該電子写真情報をユーザのＷｅｂ端末装置から閲覧することができる。
【発明を実施するための最良の形態】
【００１２】
本発明の実施の形態について図面を参照しながら詳細に説明する。なお、図中同一または相当部分には同一符号を付してその説明は繰返さない。  図１を参照して、この発明の実施の形態による電子フォト情報閲覧システムの概略を説明する。電子フォト情報閲覧システムは、インターネット又はホテル等の宿泊施設やテーマパーク等の娯楽施設等の構内のイントラネットからなるネットワーク３０上に設置されたＷｅｂサーバ兼用の電子写真情報翻訳サーバ２０を中心とするシステムであり、該電子写真情報翻訳サーバ２０には、デジタルカメラ１，２，３，・・・の電子写真情報からなる電子ファイルを読取り、前記Ｗｅｂサーバ兼用の電子写真情報翻訳サーバ２０に送信する電子写真情報読取装置１０，１１，１２と、ネットワーク３０へのアクセスポイント６０，６１と、Ｗｅｂブラウザ（Internet Explorer,Netscape Navigator等）がインストールされたＰＤＡや携帯電話機などのデジタルカメラのユーザの携帯型Ｗｅｂ端末装置５０〜５４・・・と、ネットワーク３０へのアクセスポイント４０および９０とがネットワーク３０を介して接続されるている。
【００１３】
デジタルカメラ１，２，３は、撮影した電子写真情報からなる電子ファイルを有線又は無線で外部に出力するための出力端子を備えている。尚、デジタルカメラ1，２，３・・は、使い捨てやレンタルといった形態のものでもよい。
【００１４】
電子写真情報読取装置１０，１１，１２は、カメラ店，コンビニエンスストア，宿泊施設，娯楽施設，駅，売店等の人の集まる場所に設置され、ユーザが持ち込んだ前記デジタルカメラ1，２，３・・・から電子写真情報からなる電子ファイルを読み出す機能又はデジタルカメラから出力された電子写真情報からなる電子ファルを受信する機能と備えると共に、該読取った乃至受信した電子写真情報からなる電子ファイルを電子写真情報翻訳サーバ２０に送信する機能を備える。尚、電子写真情報読取装置１０，１１，１２は、ユーザ所有のＰＣであってもよい。
【００１５】
更には、電子写真情報読取装置１０，１１，１２は、ユーザの電子写真情報をユーザの希望によりプリントアウトする機能を備える。
【００１６】
尚、電子写真情報読取装置１０，１１，１２は、デジタルカメラ1，２，３・・・の電子写真情報からなる電子ファイルを、ＷｅｂブラウザのＰＯＳＴ機能やＦＴＰ（file transfer protocol）機能等を使用して、アクセスポイント６０乃至６１およびネットワーク３０を介してＷｅｂサーバ兼用の電子写真情報翻訳サーバ２０へ送信する。
【００１７】
そして、電子写真情報翻訳サーバ２０は、受信した電子写真情報からなる電子ファイルをユーザの携帯型Ｗｅｂ端末装置５０〜５４・・・で表示できる形式のファイル（本実施例では、ＪＰＥＧファイル）に変換すると共に、サムネイル画像（兼携帯電話用画像（１００×１００ピクセル程度））、表示用画像（兼ＰＤＡ用画像（３００×３００ピクセル程度））として、解像度の異なる２種類のオリジナル画像から作成して、所定のアドレス（ＵＲＬ（uniform resource locator））に保存する。
【００１８】
尚、電子写真情報と共に音声データも送信することが可能である。この場合は、電子写真情報翻訳サーバ２０は、該音声データを含んだ電子ファイルをＶＸＭＬ（VoiceXML）ファイルに変換して保存する。
【００１９】
図２は、電子写真情報からなる電子ファイルを電子写真情報読取装置１０，１１，１２から電子写真情報翻訳サーバ２０へアップロードする際のイメージを示した図である。        
【００２０】
図において、「牛田  フォトフォルダ」は、ユーザの為に電子写真情報翻訳サーバ２０上に確保されたフォルダであって、ユーザの希望によりいくつかのフォルダが作られている。これらのフォルダは、電子写真情報読取装置やユーザのＷｅｂ端末装置からアクセスすることができ、ユーザが自分のライセンスの範囲内であれば、希望に応じて、所望の名前で、複数のフォルダを作ることができる。
【００２１】
図では、「北海道旅行」フォルダの中に更に、「１日目」「２日目」「３日目」「４日目」という名称のフォルダが設けられている。
【００２２】
電子写真情報からなる電子ファイルをアップロードするには、まず「ファイルアップロード用フォーム」に送信先のフォルダ（図では、「４日目」フォルダ）を指定する。更には、アップロードするファイル名（図では、「北海道旅行４日目」）、備考、キーワード、掲載の有効期限（図では、０日間（期限無））、メール通知の有無、メール通知の宛先およびメール内容などを設定した上で、「フォルダにファイルを置く」をクリックする。尚、前記メール通知とは、アップロードした電子写真情報（変換後の電子写真情報）の保管先のＵＲＬアドレスを電子メールで所望のアドレスに通知する機能のことであり、この際、メール内容として、文書を書いておけば、該メール内容で書き込んだ文書（図では、「お父さんお母さん  北海道旅行の写真（４日目）を下記のアドレスにアップロードしましたので、ご覧下さい。」）と共に、変換後の電子写真情報の保管先ＵＲＬアドレスが、指定した宛先に送信される。
【００２３】
図３は、前記電子写真情報翻訳サーバ２０から送信されたアップロードした電子写真情報（変換後の電子写真情報）の前記メール３０１の表示イメージを示した図である。図において、通知メール３０１は、メール本文３０２として、アップロードの際にメール内容に入力した文書と、メール本文３０２の下に、変換後の電子写真情報の保管先アドレス３０３（図では、「photo.server/usida/hokaido/date4.html」）が電子写真情報翻訳サーバ２０において付加されて指定された通知先に送信される。
【００２４】
図４は、前記電子メールで通知された保管先アドレス３０３にアクセスした際に表示される表示イメージを示した図である。図に示したように、まず、サムネイル画像のみがアルバム一覧のように表示され、サムネイル画像４０１，４０１・・・をクリックすることで、表示用画像が表示される。オリジナル画像を表示する場合は、右上のオリジナル画像ボタン４０３をクリックする。
【００２５】
このような機能を果たすために、Ｗｅｂサーバ兼用の電子写真情報翻訳サーバ２０は、送受信サーバ２０１と、解像度変更兼用のファイル形式変換サーバ２０２と、変換したファイルを保管する変換ファイル保管サーバ２０３と、ユーザデータベース２０４とを備える。なお、図１では送受信サーバ２０１、ファイル形式変換サーバ２０２、および変換ファイル保管サーバ２０３を、各々独立した１つのサーバとして記載したが、サーバの能力に余裕があれば、これらの機能を１つのサーバで実現する構成とすることもできる。          
【００２６】
送受信サーバ２０１は、電子写真情報読取装置１０，１１，１２にインストールされたＷｅｂブラウザのＰＯＳＴ機能を利用して送信された電子写真情報からなる電子ファイル７０をネットワーク３０を介して受信し、受信した電子写真情報からなる電子ファイル７０を解像度変更兼用のファイル形式変換サーバ２０２へ転送する。また、送受信サーバ２０１は、変換後の電子ファイル７０の保管先アドレス（ＵＲＬ）の通知を受けると、登録されたメール通知設定に応じて、通知メールを作成して、指定の相手先に通知メールを送信する。
【００２７】
解像度変更兼用のファイル形式変換サーバ２０２は、後述する方法によって受信した電子写真情報からなる電子ファイル７０の種類を判定し、その判定結果に基づいて電子ファイル７０をＷｅｂ端末装置で表示可能な形式（ＪＰＥＧ又はＧＩＦなど）のファイルに変換すると共に、解像度を変えた２種類（サムネイル画像と表示用画像）を作成して、その変換した電子ファイル（サムネイル画像、表示用画像、オリジナル画像）をファイル保管サーバ２０３へ転送する。
【００２８】
変換ファイル保管サーバ２０３は、変換電子写真情報を所定の位置に保管し、その保管位置を示す保管アドレス（ＵＲＬ）を送受信サーバ２０１へ転送する。また、変換ファイル保管サーバ２０３は、ユーザの携帯型Ｗｅｂ端末装置５０〜５４から前記保管アドレス（ＵＲＬ）の検索指示を受信すると、保管アドレス（ＵＲＬ）を検索して保管アドレス（ＵＲＬ）に記録されている変換電子写真情報を読出し、その読出した変換電子写真情報をネットワーク３０を介して携帯型Ｗｅｂ端末装置５０〜５４へ送信する。
【００２９】
図５に示すファイル形式変換サーバの機能ブロック図を参照して、ファイル形式変換サーバ２０２が電子写真情報からなる電子ファイル７０を変換電子写真情報に変換する際の変換方法について説明する。
【００３０】
ファイル形式変換サーバ２０２は、インプットファイル選定エンジン２０２１と、ファイルタイプ決定エンジン２０２２と、翻訳エンジン２０２３からなる翻訳エンジン２０２３と、データベース２０２５とを備える。尚、インプットファイル選定エンジン２０２１、ファイルタイプ決定エンジン２０２２および翻訳エンジン２０２３は、電子写真情報からなる電子ファイル７０を変換電子写真情報に変換するための機能を表す機能ブロックである。
【００３１】
インプットファイル選定エンジン２０２１は、受信したインプットファイルである電子ファイル７０を選定し、そのインプットファイルをデータベース２０２５に一時保管する。
【００３２】
ファイルタイプ決定エンジン２０２２は、電子写真情報からなる電子ファイル７０をデータベース２０２５から読出し、その電子ファイル７０のファイル拡張子を検出する。つまり、ファイルタイプ決定エンジン２０２２は、電子写真情報電子ファイル７０のファイル名に含まれる“ｄｏｃ”、“ｘｌｓ”、“ｚｉｐ”、“ｍｉｍｅ”、“ｐｐｔ”、“ｐｄｆ”、”ｃａｍ”、”ｊ６ｉ”、”ｔｉｆ”、”bmp”等のファイルの種類を示す拡張子を検出する。
【００３３】
“ｄｏｃ”は、電子写真情報からなる電子ファイル７０がワードで作成されたことを示し、“ｘｌｓ”は、電子写真情報からなる電子ファイル７０がエクセル（ｅｘｃｅｌ，ｅｘｅｃｌは商標乃至登録商標）で作成されたことを示し、 “ｚｉｐ”は、電子写真情報からなる電子ファイル７０が圧縮データであることを示し、“ｍｉｍｅ”は、電子写真情報からなる電子ファイル７０が電子メールに用いられるファイル形式であることを示し、“ｐｐｔ”は、電子写真情報からなる電子ファイル７０がパワーポイント（ＰｏｗｅｒＰｏｉｎｔ，ＰｏｗｅｒＰｏｉｎｔは商標乃至登録商標）で作成されたことを示し、“ｐｄｆ”は、アクロバット（Ａｃｒｏｂａｔ，Ａｃｒｏｂａｔは商標乃至登録商標）で作成されたことを示し、”ｃａｍ”は、”Ｃａｓｉｏ”（Ｃａｓｉｏは商標乃至登録商標）のデジタルカメラであるQVシリーズで使用されるファイル形式を示し、” ｊ６ｉ”は、Ｒｉｃｏｈ（Ｒｉｃｏｈは商標乃至登録商標）のデジタルカメラ（DC-2系）で使用されるＤＳＣフォーマットと呼ばれる形式で、JPEGを元にした独自フォーマットを示し、”ｔｉｆ”は、（Tagged Image File Formatの略）アルダス社が開発した画像ファイル形式であることを示す。
【００３４】
したがって、ファイルタイプ決定エンジン２０２２は、“ｃａｍ”を検出すれば、電子写真情報からなる電子ファイル７０がデジタルカメラＱＶシリーズで撮影されたものであることを認識し、電子写真情報からなる電子ファイル７０において、画像データが記載されている位置を示すＦＩＢ（Ｆｉｌｅ  Ｉｎｆｏｒｍａｔｉｏｎ  Ｂｌｏｃｋ）を見に行く。そして、ファイルタイプ決定エンジン２０２２は、ＦＩＢに基づいて画像データを検出し、その検出した画像データのデータ構造を解析する。そして、ファイルタイプ決定エンジン２０２２は、検出した電子写真情報からなる電子ファイル７０のファイル形式、および画像データのデータ構造の解析結果をデータベース２０２５に一時保管する。  
【００３５】
翻訳エンジン２０２３は、電子写真情報からなる電子ファイル７０を翻訳する。ＨＴＬＭ翻訳エンジン２０２３は、データベース２０２５に保管されたファイル形式、および画像データのデータ構造の解析結果を読出し、その読出したファイル形式および構造解析の結果に基づいて電子写真情報からなる電子ファイル７０をＪＰＥＧ形式やＧＩＦ形式等のＷｅｂブラウザで表示できるファイル形式のファイルに変換し、更に、解像度を変更して、サムネイル画像と表示用画像を作成する。
【００３６】
そして、翻訳エンジン２０２３は、上記変換後の変換電子写真情報を変換ファイル保管サーバ２０３に保管するとともに、その保管位置を示す保管アドレスを変換電子写真情報のリンク先として送受信サーバに通知するとともにユーザアドレスデータベース２０４に記憶する。つまり、図３に示す「photo.server/usida/hokaido/date4.html」の保管アドレスをユーザアドレスデータベース２０４に記憶する。そして、送受信サーバ２０１は、前記保管アドレスの通知を受けると、メール通知の指定されている場合は、指定された通知先（本実施例では、両親、お父さんお母さん）の携帯型Ｗｅｂ端末装置５０に対して、前記変換電子写真情報の保管アドレス「photo.server/usida/hokaido/date4.html」をメール内容に付加して電子メールを作成して送信する。
【００３７】
携帯型Ｗｅｂ端末装置５０は、前記通知電子メールを受信し、電子メールを表示部に表示する（図３参照）。携帯型Ｗｅｂ端末装置５０〜５４のユーザは、表示された電子メールを見て、その電子メールに付された変換電子写真情報の保管先アドレス（リンク先アドレス，本実施例では、「photo.server/usida/hokaido/date4.html」）への検索指示（ＵＲＬをクリック）を行なう。これにより前記保管先アドレスがファイル形式変換サーバ２０２へ送信される。これによりファイル形式変換サーバ２０２のファイルタイプ決定エンジン２０２２は、携帯型Ｗｅｂ端末装置５０〜５４から受信したリンク先（ＵＲＬ）に基づいて変換ファイル保管サーバ２０３内を検索し、リンク先（ＵＲＬ）に記憶された変換電子写真情報を読出す。そして、送受信サーバ２０１は、読出した変換電子写真情報を携帯型Ｗｅｂ端末装置５０〜５４へ送信する。これによって、ユーザや通知を受けた者は、携帯型Ｗｅｂ端末装置５０〜５４を使ってユーザが撮影した電子写真情報を閲覧することができるようになる（図４参照）。
【００３８】
図６にフローチャートを参照して、図１に示す電子フォト情報閲覧システムを用いて、電子写真情報をＷｅｂサーバにアップロードして、Ｗｅｂ端末装置５０〜５４で閲覧するまでの流れを説明する。
【００３９】
ユーザは、デジタルカメラ１，２，３・・で電子写真を撮影した後、そのデジタルカラメをコンビニ等に持ち込んで、設置されている電子写真情報読取装置１０や１１や１２に電子写真情報を読取らせる（ステップＳ１）。そして、電子写真情報読取装置１０において、図２に示した設定を行なった上で、前記読取った電子写真情報からなる電子ファイル７０をＷｅｂブラウザのＰＯＳＴ機能を用いてＷｅｂサーバ兼用の電子フォト情報閲覧用サーバ２０に送信する（ステップＳ２）。尚、Ｗｅｂサーバ兼電子写真情報翻訳サーバ２０は、好適には、ＩＳＰ  Ｏｐｅｎ  Ｓｈａｒｋサーバにより実現される。
【００４０】
Ｗｅｂサーバ兼用の電子写真情報翻訳サーバ２０は、電子写真情報からなる電子ファイル７０を受信し、該電子ファイル７０を上述した方法によってＪＰＥＧ形式等のＷｅｂブラウザで表示可能な形式のファイルに変換し、更に、解像度の異なるサムネイル画像と表示用画像を作成して、該変換した電子写真情報を所定の保管アドレスに保管する。そして、メール通知が設定されている場合は、前記保管先のアドレスを指定された宛先に電子メールで送信する（ステップＳ３）。
【００４１】
そして、前記通知の電子メールは、インターネット又はイントラネットから成るネットワーク３０やアクセスポイント９０を介して送信される（ステップＳ４）。送信先の携帯型Ｗｅｂ端末装置５０〜５４は、前記通知の電子メールを受信し表示する（図３参照）（ステップＳ５）。そして、その電子メールに添付された変換電子写真情報の保管アドレス（ＵＲＬ、本実施例では、「photo.server/usida/hokaido/date4.html」）の検索指示を電子写真情報翻訳サーバ２０へ送信する（ステップＳ６）。尚、前記保管先のアドレスの通知がなくても、携帯用Ｗｅｂ端末装置５０、・・・のユーザが該アドレスにアクセスできる場合、例えば、ユーザのホームページからアクセスできる場合等は、通知メールを送る必要はない。
【００４２】
電子写真情報翻訳サーバ２０は、変換電子写真情報の保管アドレス（ＵＲＬ）の検索指示を受信し、保管アドレス（ＵＲＬ）の検索を行ない、保管アドレス（ＵＲＬ）に記憶されている変換電子写真情報を検索指示を出した携帯型Ｗｅｂ端末装置５０〜５４へ送信する（ステップＳ７）。そして、検索された変換電子写真情報は、ネットワーク３０やアクセスポイント９０を介して情報受信者の携帯型Ｗｅｂ端末装置に送信される（ステップＳ８）。携帯型Ｗｅｂ端末装置５０〜５４には、前記送信された変換電子写真情報が表示される（ステップＳ９）。この場合、Ｗｅｂ端末装置５０〜５４には、図４に示した表示画面例が表示される。
【００４３】
電子写真情報翻訳サーバ２０は、ユーザに対してサーバ利用料金を請求する（ステップＳ１０）、ユーザはサーバ利用料金を支払う（ステップＳ１１）。利用料の支払は、電子写真情報読取装置１０等が設置されたコンビニなどで支払うか、後に、電子写真情報翻訳サーバ２０の運営事業者の請求に基づいて支払う。利用料の清算は現金に限らず、クレジットカードを用いて清算を行なって良い。この場合、クレジット会社乃至銀行の端末装置は、利用料金の請求書を顧客に発行し、ユーザの口座から利用料金が引落とし、利用明細書をユーザに対して発行する。
【００４４】
尚、図１,３に示した携帯型Ｗｅｂ端末装置５０は、インターネット又はイントラネットブラウザ機能を備えた端末装置であり、好適には該本体部は携帯性を考慮して、おおよそB５サイズ程度の大きさに形成している。表示部は、タッチパネル兼用のＬＣＤなどの入力表示部（表示手段、データ入力手段）となっており、インターネット又はイントラネットのホームページ画面が見やすさ、画面上での操作性および耐久性を考慮して、好適には７．８インチ程度のタッチパネル一体型のカラー液晶パネルを採用している。その他、ホーム画面に戻るためのホームボタン、ブラウザのスタート画面か最後に表示した画面に戻るためのインターネット又はイントラネットボタン、メールの受信箱に移行するためのメールボタンを備え、インターネット又はイントラネット操作時の操作性を考慮した設計となっている。
【００４５】
尚、上記発明は結婚式場でも有効に活用することが可能である。即ち、婚式場では、集合写真や新郎新婦の写真を撮るが、これを電子写真情報変換サーバ２０に送信する際に、該電子写真情報の保管先アドレスの通知先として、披露宴の出席者や披露宴に出席できなかった友人・知人を指定し、更に、メール内容として、結婚の挨拶や新居の住所等を入力することで、指定した相手先に作成した結婚の挨拶文が電子メールで送られ、且つ、結婚写真が保管されたＵＲＬアドレスが通知されるので、多くの人にタイムリーに連絡ができることになり、産業上の利用価値が高いシステムとすることができる。更に、新婚旅行先でも、同様に、挨拶文を送ることができ便利である。
【００４６】
尚、上記電子写真情報変換サーバ２０にウィルスチェック機能およびウィルス削除機能を置き、アップロードされた電子写真情報からなる電子ファイル７０がウィルスに感染していないかどうかをチェックして、問題があれば、ウィルス対策を施した上で、ファイル変換を行なうように構成することも可能である。
【００４７】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【００４８】
【図１】本発明の実施の形態による電子フォト情報閲覧システムを概念的に説明するための概略図である。
【図２】電子写真情報を電子写真情報読取装置１０，１１，１２から電子写真情報翻訳サーバ２０へ転送する際のイメージを示した図である。
【図３】電子情報翻訳サーバ２０から送信された電子写真情報の保管先ＵＲＬを通知するメールの表示イメージを示した図である。
【図４】電子情報翻訳サーバ２０から電子メールで通知された保管先アドレス３０３にアクセスした際に表示される表示イメージを示した図である。
【図５】図１に示すファイル形式変換サーバの機能ブロック図である。
【図６】図１に示す電子ファイル閲覧システムにおける電子ファイルの作成、送信方法を説明するためのフローチャートである。
【符号の説明】
【００４９】
１０，１１，１２  端末装置
２０  Ｗｅｂサーバ兼用の電子写真情報翻訳サーバ
３０  ネットワーク
４０  アクセスポイント
５０〜５４  携帯型Ｗｅｂ端末装置
６０，６１、４０、９−  アクセスポイント
７０  電子写真情報からなる電子ファイル
２０１  送受信サーバ
２０２  ファイル形式変換サーバ
２０３  変換ファイル保管サーバ
２０４  ユーザデータベース
２０２１  インプットファイル選定エンジン
２０２２  ファイルタイプ決定エンジン
２０２３  翻訳エンジン
２０２５  データベース
【図１】
2005115963.tif 000003
【図２】
2005115963.tif 000004
【図３】
2005115963.tif 000005
【図４】
2005115963.tif 000006
【図５】
2005115963.tif 000007
【図６】
2005115963.tif 000008